【手続補正書】
【提出日】平成17年5月19日(2005.5.19)
【手続補正１】
【補正対象書類名】明細書
【補正対象項目名】特許請求の範囲
【補正方法】変更
【補正の内容】
【特許請求の範囲】
【請求項１】
原稿を読み取り、原稿上の画像を表す画像データを生成する読取手段と、外部装置からの画像データを受信する受信手段と、入力された画像データに基づく画像をプリント出力する画像出力手段とを備え、少なくとも前記読取手段からの画像データに基づく画像を前記画像出力手段によってプリント出力するコピージョブ、及び前記受信手段で受信した画像データに基づく画像を前記画像出力手段によってプリント出力するプリントジョブを含む前記画像出力手段によるプリント出力に関する複数のジョブを受け付ける機能を有する画像形成装置において、
過去に行った個々のジョブの実行履歴をジョブ種とともに保存する履歴保存手段と、
前記履歴保存手段に保存された個々のジョブの実行履歴をジョブ種ごとに表示する履歴表示手段とを設けたことを特徴とする画像形成装置。
【請求項２】
前記履歴表示手段は、
前記各ジョブの履歴リストを表示し、該履歴リストから１つのジョブを選択可能にする履歴リスト表示手段と、
前記履歴リスト表示手段で選択されたジョブの履歴詳細情報を表示する履歴詳細表示手段とを備えたことを特徴とする請求項１の画像形成装置。
【請求項３】
前記履歴保存手段に保存する前記実行履歴の種類を選択可能にする履歴選択手段を設けたことを特徴とする請求項１または請求項２記載の記載の画像形成装置。
【請求項４】
前記履歴表示手段は、前記各ジョブの受付時間を表示する受付時間表示手段を備えたことを特徴とする請求項１乃至請求項３記載の画像形成装置。
【請求項５】
前記履歴表示手段は、前記ジョブの終了時間を表示する終了時間表示手段を備えたことを特徴とする請求項１乃至請求項４の画像形成装置。
【請求項６】
画像データを記憶する画像記憶手段と、前記画像記憶手段に記憶された画像データの処理モードを設定するモード設定手段を備え、前記履歴表示手段は、前記ジョブの処理モードを表示することを特徴とする請求項１乃至請求項５記載の画像形成装置。
【請求項７】
前記履歴表示手段は、前記ジョブのファイル名を表示するファイル名表示手段を備えたことを特徴とする請求項１乃至請求項６記載の画像形成装置。
【請求項８】
前記履歴表示手段は、前記ジョブのユーザ名を表示するユーザ名表示手段を備えたことを特徴とする請求項１乃至請求項７記載の画像形成装置。
【請求項９】
前記履歴表示手段は、前記ジョブの実行結果を表示する実行結果表示手段を備えたことを特徴とする請求項１乃至請求項８記載の画像形成装置。
【請求項１０】
ネットワークからの前記実行履歴に関する履歴問い合わせを受信する受信手段と、
前記履歴問い合わせを受信したときに前記履歴保存手段に保存されている履歴情報を読み出す読み出し手段と、
前記読み出し手段によって読み出された履歴情報を前記ネットワーク側へ返信する送信手段とを備えたことを特徴とする請求項１記載の画像形成装置。
【請求項１１】
前記読み出し手段は、前記履歴問い合わせが実行履歴の種類を含む問い合わせであったときに、この履歴の種類を含む問い合わせに応じた履歴情報を読み出すことを特徴とする請求項１０記載の画像形成装置。
【請求項１２】
原稿を読み取り、原稿上の画像を表す画像データを生成する読取手段と、外部装置からの画像データを受信する受信手段と、入力された画像データに基づく画像をプリント出力する画像出力手段とを備え、少なくとも前記読取手段からの画像データに基づく画像を前記画像出力手段によってプリント出力するコピージョブ、及び前記受信手段で受信した画像データに基づく画像を前記画像出力手段によってプリント出力するプリントジョブを含む前記画像出力手段によるプリント出力に関する複数のジョブを受け付ける機能を有する画像形成装置の制御方法であって、
過去に行った個々のジョブの実行履歴をジョブ種ごとに保存する履歴保存処理と、
前記履歴保存処理で保存された個々のジョブの実行履歴をジョブ種ごとに表示する履歴表示処理とを実行することを特徴とする画像形成装置の制御方法。
【請求項１３】
前記履歴表示処理は、
前記各ジョブの履歴リストを表示し、該履歴リストから１つのジョブを選択可能にする履歴リスト表示処理と、
前記履歴リスト表示処理で選択されたジョブの履歴詳細情報を表示する履歴詳細表示処理とを含むことを特徴とする請求項１２の画像形成装置の制御方法。
【請求項１４】
前記履歴保存処理で保存された前記実行履歴の種類を選択可能にする履歴選択処理を行うことを特徴とする請求項１２または請求項１３記載の記載の画像形成装置の制御方法。
【請求項１５】
前記履歴表示処理は、前記各ジョブの受付時間を表示する受付時間表示処理を含むことを特徴とする請求項１２乃至請求項１４記載の画像形成装置の制御方法。
【請求項１６】
前記履歴表示処理は、前記ジョブの終了時間を表示する終了時間表示処理を含むことを特徴とする請求項１２乃至請求項１５の画像形成装置の制御方法。
【請求項１７】
前記画像記憶処理に記憶された画像データの処理モードを設定するモード設定手段を備え、前記履歴表示処理は、前記ジョブの処理モードを表示することを特徴とする請求項１２乃至請求項１６記載の画像形成装置の制御方法。
【請求項１８】
前記履歴表示処理は、前記ジョブのファイル名を表示するファイル名表示処理を含むことを特徴とする請求項１２乃至請求項１７記載の画像形成装置の制御方法。
【請求項１９】
前記履歴表示処理は、前記ジョブのユーザ名を表示するユーザ名表示処理を含むことを特徴とする請求項１２乃至請求項１８記載の画像形成装置の制御方法。
【請求項２０】
前記履歴表示処理は、前記ジョブの実行結果を表示する実行結果表示処理を含むことを特徴とする請求項１２乃至請求項１９記載の画像形成装置の制御方法。
【請求項２１】
ネットワークからの前記実行履歴に関する履歴問い合わせを受信する受信処理と、
前記履歴問い合わせを受信したときに前記履歴保存処理で保存されている履歴情報を読み出す読み出し処理と、
前記読み出し処理によって読み出された履歴情報を前記ネットワーク側へ返信する送信処理とを行うことを特徴とする請求項１２記載の画像形成装置の制御方法。
【請求項２２】
前記読み出し処理は、前記履歴問い合わせが実行履歴の種類を含む問い合わせであったときに、この履歴の種類を含む問い合わせに応じた履歴情報を読み出すことを特徴とする請求項２１記載の画像形成装置の制御方法。
【請求項２３】
原稿を読み取り、原稿上の画像を表す画像データを生成する読取手段と、外部装置と接続する接続手段と、入力された画像データに基づく画像をプリント出力する画像出力手段とを備え、少なくとも前記読取手段からの画像データに基づく画像を前記画像出力手段によってプリント出力するコピージョブ、及び前記接続手段を介して接続された外部装置から受信した画像データに基づく画像を前記画像出力手段によってプリント出力するプリントジョブを含む前記画像出力手段によるプリント出力に関する複数のジョブを受け付ける機能を有する画像形成装置において、
過去に行った個々のジョブの実行履歴をジョブ種とともに保存する履歴保存手段と、
前記履歴保存手段に保存された個々のジョブの実行履歴をジョブ種ごとに前記接続手段を介して外部装置に出力する履歴出力手段とを設けたことを特徴とする画像形成装置。
【請求項２４】
原稿を読み取り、原稿上の画像を表す画像データを生成する読取手段と、外部装置と接続する接続手段と、入力された画像データに基づく画像をプリント出力する画像出力手段とを備え、少なくとも前記読取手段からの画像データに基づく画像を前記画像出力手段によってプリント出力するコピージョブ、及び前記接続手段を介して接続された外部装置から受信した画像データに基づく画像を前記画像出力手段によってプリント出力するプリントジョブを含む前記画像出力手段によるプリント出力に関する複数のジョブを受け付ける機能を有する画像形成装置の制御方法であって、
過去に行った個々のジョブの実行履歴をジョブ種とともに保存する履歴保存処理と、
前記履歴保存処理で保存された個々のジョブの実行履歴をジョブ種ごとに前記接続手段を介して外部装置に出力する履歴出力処理とを設けたことを特徴とする画像形成装置の制御方法。
【手続補正２】
【補正対象書類名】明細書
【補正対象項目名】０００８
【補正方法】変更
【補正の内容】
【０００８】
【課題を解決するための手段】
上記目的を達成するために、本発明の画像形成装置では、原稿を読み取り、原稿上の画像を表す画像データを生成する読取手段と、外部装置からの画像データを受信する受信手段と、入力された画像データに基づく画像をプリント出力する画像出力手段とを備え、少なくとも前記読取手段からの画像データに基づく画像を前記画像出力手段によってプリント出力するコピージョブ、及び前記受信手段で受信した画像データに基づく画像を前記画像出力手段によってプリント出力するプリントジョブを含む前記画像出力手段によるプリント出力に関する複数のジョブを受け付ける機能を有する画像形成装置において、過去に行った個々のジョブの実行履歴をジョブ種とともに保存する履歴保存手段と、前記履歴保存手段に保存された個々のジョブの実行履歴をジョブ種ごとに表示する履歴表示手段とを設けたことを特徴とする。
本発明の画像形成装置の制御方法では、原稿を読み取り、原稿上の画像を表す画像データを生成する読取手段と、外部装置からの画像データを受信する受信手段と、入力された画像データに基づく画像をプリント出力する画像出力手段とを備え、少なくとも前記読取手段からの画像データに基づく画像を前記画像出力手段によってプリント出力するコピージョブ、及び前記受信手段で受信した画像データに基づく画像を前記画像出力手段によってプリント出力するプリントジョブを含む前記画像出力手段によるプリント出力に関する複数のジョブを受け付ける機能を有する画像形成装置の制御方法であって、過去に行った個々のジョブの実行履歴をジョブ種ごとに保存する履歴保存処理と、前記履歴保存処理で保存された個々のジョブの実行履歴をジョブ種ごとに表示する履歴表示処理とを実行することを特徴とする。
本発明の画像形成装置では、原稿を読み取り、原稿上の画像を表す画像データを生成する読取手段と、外部装置と接続する接続手段と、入力された画像データに基づく画像をプリント出力する画像出力手段とを備え、少なくとも前記読取手段からの画像データに基づく画像を前記画像出力手段によってプリント出力するコピージョブ、及び前記接続手段を介して接続された外部装置から受信した画像データに基づく画像を前記画像出力手段によってプリント出力するプリントジョブを含む前記画像出力手段によるプリント出力に関する複数のジョブを受け付ける機能を有する画像形成装置において、過去に行った個々のジョブの実行履歴をジョブ種とともに保存する履歴保存手段と、前記履歴保存手段に保存された個々のジョブの実行履歴をジョブ種ごとに前記接続手段を介して外部装置に出力する履歴出力手段とを設けたことを特徴とする。
本発明の画像形成装置の制御方法では、原稿を読み取り、原稿上の画像を表す画像データを生成する読取手段と、外部装置と接続する接続手段と、入力された画像データに基づく画像をプリント出力する画像出力手段とを備え、少なくとも前記読取手段からの画像データに基づく画像を前記画像出力手段によってプリント出力するコピージョブ、及び前記接続手段を介して接続された外部装置から受信した画像データに基づく画像を前記画像出力手段によってプリント出力するプリントジョブを含む前記画像出力手段によるプリント出力に関する複数のジョブを受け付ける機能を有する画像形成装置の制御方法であって、過去に行った個々のジョブの実行履歴をジョブ種とともに保存する履歴保存処理と、前記履歴保存処理で保存された個々のジョブの実行履歴をジョブ種ごとに前記接続手段を介して外部装置に出力する履歴出力処理とを設けたことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】